(57)【要約】      （修正有）【課題】シリンダ部材に対するロッドの相対変位を設置現場に赴くことなく遠隔位置で確認し、防振器及び防振対象の状態を監視する手段を提供する。【解決手段】油圧制振器のシリンダに対するロッドの相対変位量を検出して配管の変位を検出するための遠隔監視装置１には、ロッドの直線的相対変位を回転変位に変換する回転機構３と、この回転機構３の回転変位に応じた電気的出力を発するポテンショメータ９と、このポテンショメータ９の出力の所定の閾値において警告信号を発する検出回路１０ａと、この検出回路１０ａの警告信号を遠隔位置に伝達する通信機４とを具備させる。回転機構３は、ロッドに固定されるワイヤ７を巻き取る方向に回転付勢されつつ、ロッドの出入り動に応じて作動線を繰り出し，巻き取るプーリ６を具備させる。プーリ６と共回りするポテンショメータ９が回転変位に応じて電圧出力を発し、検出回路１０ａに警告信号を出力させる。【選択図】図２
2016183693.tif 000002
【特許請求の範囲】
【請求項１】
支持体又は配管の一方に連結され、内部に作動油を充填したシリンダと、前記シリンダ内に油圧室を仕切るピストンと、支持体又は配管の他方に連結され、前記ピストンに結合して、前記シリンダの一端から出入り自在に挿入されたロッドとを具備し、前記シリンダに対するロッドの急激な相対移動を抑制して配管の振動を阻止する一方、緩慢な相対移動を許容して配管の熱変位などを可能にする油圧制振器におけるシリンダに対するロッドの相対変位量を検出して配管の変位を検出するための遠隔監視装置において、
前記配管と共に変位するロッドの前記シリンダとの直線的相対変位を回転変位に変換する回転機構と、
この回転機構の回転変位に応じた電気的出力を発するポテンショメータと、
このポテンショメータの出力の所定の閾値において警告信号を発する検出回路と、
この検出回路の警告信号を遠隔位置に伝達する通信機とを具備することを特徴とする配管用防振器の遠隔監視装置。
【請求項２】
支持体又は配管の一方に連結され、内部に作動油を充填したシリンダと、前記シリンダ内に油圧室を仕切るピストンと、支持体又は配管の他方に連結され、前記ピストンに結合して、前記シリンダの一端から出入り自在に挿入されたロッドとを具備し、前記シリンダに対するロッドの急激な相対移動を抑制して配管の振動を阻止する一方、緩慢な相対移動を許容して配管の熱変位などを可能にする油圧制振器におけるシリンダに対するロッドの相対変位量を検出して配管の変位を検出するための遠隔監視装置において、
前記配管と共に変位するロッドの前記シリンダとの直線的相対変位を回転変位に変換する回転機構と、
この回転機構の回転変位に応じた電気的出力を発するポテンショメータと、
このポテンショメータの出力を遠隔位置に伝達する通信機と、
当該遠隔位置において前記ポテンショメータの出力の所定の閾値において警告信号を発する検出回路とを具備することを特徴とする配管用防振器の遠隔監視装置。
【請求項３】
前記回転機構は、前記ロッドに固定される作動線を巻き取る方向に回転付勢されつつ、ロッドの出入り動に応じて作動線を繰り出し，巻き取るプーリを具備することを特徴とする請求項１に記載の配管用防振器の遠隔監視装置。
【発明の詳細な説明】
【技術分野】
【０００１】
本発明は、原子力、火力発電所、化学プラント等における配管を構造物等の支持体に支持し、熱変位等に対する配管の緩慢な移動は許容する一方、地震等による振動を減衰させる防振器のロッドのストローク位置を検出して、配管の過大変位を防止するものに関する。
【背景技術】
【０００２】
従来、油圧防振器は、シリンダチューブと、シリンダチューブに出入り動自在に挿入されたピストンロッドとを備え、防振対象と構築物との間に取り付けられて振動時の両者の直線的な相対変位に基づき油圧による防振作用を行うものがある（特許文献１）。この油圧防振器には、配管に取り付けるために、シリンダチューブに対してロッドを所定の相対位置で固定するロック装置を備える。ロック装置は、長さ目盛りを有するインジケータの一端部をロッドに固定し、他端部をシリンダチューブ側へロッドの移動方向に延ばし、シリンダチューブに固定したガイド部材に沿ってインジケータを移動させると共に、インジケータの所定の目盛り位置にガイド部材を合わせてチョウボルトで係止してロッドを固定する。ロッドの固定状態で防振器の取り付け作業を行う一方、取り付けた後、チョウボルトを緩めてインジケータの拘束を解けば、ロッドが自由に移動でき、防振器の使用が可能になると共に、防振対象の変位に伴うロッドの変位量をインジケータの目盛りで読み取ることができる。また、インジケータには、油圧防振器の設置時のロッドのストローク位置を中心に、両側に正常動作範囲、要注意範囲、ストローク限界の境界をそれぞれ色付けして、ロッドのストローク位置を簡易的に目視確認できるようにしたものが実際に使用されている。
【先行技術文献】
【特許文献】
【０００３】
【特許文献１】特開平１０−１９６７０７号公報
【発明の概要】
【発明が解決しようとする課題】
【０００４】
上記従来の油圧防振器においては、正常に動作しているかを確認するために、設置現場に直接赴き、インジケータを目視確認する必要がある。例えば発電所内の設備には耐震用の油圧防振器が必要であり、特に配管系設備に対して多くの油圧防振器が設置されるため、正常動作の目安となるストローク位置の確認作業に多大な時間と労力が費やされ、保守面の負担が大きい。また、発電所の運転状況や油圧防振器の防振対象によっては、設置位置が立ち入り禁止区域になってしまうことがあり、ストローク位置の確認作業が現実的に行えない場合も有り得る。
そこで、本発明は、防振器のシリンダ部材に対するロッドの相対変位を設置現場に赴くことなく遠隔位置で確認し、防振器ひいては防振対象の状態を監視する配管用防振器の遠隔監視装置を提供することを課題としている。
【課題を解決するための手段】
【０００５】
上記課題を解決するため、本発明においては、支持体又は配管の一方に連結され、内部に作動油を充填したシリンダＤ１に、この内部を油圧室に仕切るピストンに結合するロッドＤ２を出入り自在に挿入し、ロッドＤ２に支持体又は配管の他方を連結して、シリンダＤ１に対するロッドＤ２の急激な相対移動を抑制して配管の振動を阻止する一方、緩慢な相対移動を許容して配管の熱変位などを可能にする油圧制振器ＤにおけるシリンダＤ１に対するロッドＤ２の相対変位量を検出して配管の変位を検出するための遠隔監視装置１を構成する。遠隔監視装置１には、配管と共に変位するロッドＤ２のシリンダＤ１との直線的相対変位を回転変位に変換する回転機構３と、この回転機構３の回転変位に応じた電気的出力を発するポテンショメータ９と、このポテンショメータ９の出力の所定の閾値において警告信号を発する検出回路１０ａと、この検出回路１０ａの警告信号を遠隔位置に伝達する通信機４とを具備させた。
また、通信機はポテンショメータの出力を遠隔位置に伝達し、当該遠隔位置の検出回路は、ポテンショメータの出力の所定の閾値で警告信号を発するように構成した。
回転機構３は、ロッドＤ２に固定されるワイヤ７のような作動線を巻き取る方向に回転付勢されつつ、ロッドＤ２の出入り動に応じて作動線を繰り出し，巻き取るプーリ６を具備させた。
【発明の効果】
【０００６】
本発明においては、油圧防振器の設置現場に出向くことなく、遠隔位置で油圧防振器のストローク位置を確認でき、発電所内に多数設置された油圧防振器の状態の確認作業を手間暇かけず、簡単に行うことができ、油圧防振器及び防振対象の保守面のコストを低減できる。また、油圧防振器の設置場所が立ち入り禁止区域であっても、安全にストローク位置ひいては配管等の防振対象の変位の確認作業を行うことができる。
【図面の簡単な説明】
【０００７】
【図１】本発明に係る遠隔監視装置を取り付けた配管用防振器の斜視図である。
【図２】図１の遠隔監視装置の一部を切り欠いた正面図である。
【図３】図１の遠隔監視装置の一部を切り欠いた側面図である。
【図４】図１の遠隔監視装置の分解斜視図である。
【図５】回転機構の一部を切り欠いた平面図である。
【図６】回転機構の分解斜視図である。
【発明を実施するための形態】
【０００８】
本発明の実施の一形態を図面を参照して説明する。
図１において、油圧防振器Ｄは、一端が構造物等の支持体に連結され、内部に作動油を充填したシリンダＤ１と、シリンダＤ１内に油圧室を仕切るように摺動自在に挿入されたピストンが一端に結合して、シリンダＤ１を出入り自在に挿入され、他端が防振対象である配管に連結さりるロッドＤ２とを具備する。油圧防振器Ｄは、シリンダＤ１に対するロッドＤ２の急激な相対移動を抑制して地震等の振動を阻止する一方、ロッドＤ２の緩慢な相対移動を許容して配管の温度変化による変位を妨げない。
【０００９】
油圧防振器Ｄの側部には、ロッドＤ２のストローク位置を検出することにより動作の異常を検出する遠隔監視装置１が取り付けられる。遠隔監視装置１は、シリンダＤ１の側面に固定される矩形のケース２内に回転機構３とポテンショメータ９と検出回路１０ａと送信ユニット４とを内蔵する。
【００１０】
回転機構３は、図２ないし図６に示すように、ケース２内に固定される上下に対向する一対の枠板５ａ，５ｂを備えた枠体５と、枠板５ａ，５ｂ間に水平に回転自在に軸支され、ワイヤ７が巻き取られるプーリ６と、プーリ６を回転付勢するゼンマイ型のばね８とを具備する。枠体５は、ケース２の側面にねじ止めされ固定される上枠板５ａと、これに三本のカラー５ｃが介在することにより間隔を置いて対向する下枠板５ｂとが、カラー５ｃを貫通するボルト・ナットにより結合される。ワイヤ７は、一端がケース２を貫通してロッドＤ２の端部の固定フランジＤ３に連結され、他端がプーリ６に固定され、ロッドＤ２のストロークに応じてプーリ６から繰り出され，巻き取られる。ばね８は、一端がケース２の側面に上枠板５ａと共にねじ留めされ、他端がプーリ６の突出筒軸６ａに係止され、突出筒軸６ａ周りに巻かれて、ワイヤ７を常時巻き取る方向にプーリ６を回転付勢する。
【００１１】
ポテンショメータ９は、ケース２の上枠板５ａ上に取り付けられ、軸９ａによりプーリ６に結合して共回りし、回転変位に応じて電圧出力することにより、ロッドＤ２のストロークの警告位置に対応する所定の閾値において検出回路１０ａに警告信号を出力させる。
【００１２】
送信ユニット４は、図３，図４に示すように、ボタン電池ホルダ及びその他の電気素子を組み込んだ検出回路１０ａを構成する基板１０と、基板１０の背面に取り付けられる無線モジュール１１とを具備する。基板１０上の検出回路１０ａのボタン電池ホルダに装着される電池は、ポテンショメータ９の電圧出力及び検出回路１０ａに警告信号を出力させる電源となる。無線モジュール１１は、検出回路１０ａに電気的に接続されており、検出回路１０ａによる警告信号を送信して、遠隔位置にある制御管理室等の監視場所に別途配置され警告信号を受信する図示しない受信機と共に通信機を構成する。無線モジュール１１には、ケース２の前板に固定される棒状のアンテナ１２が接続される。
【００１３】
この遠隔監視装置１においては、配管の熱変位などにより油圧防振器ＤのシリンダーＤ１に対してロッドＤ２が相対的に変位すると、回転機構３においてワイヤ７が繰り出され(巻き取られ)てプーリ６が回転し、これと共にポテンショメータ９の軸９ａが回転し、ロッドＤ２の移動量が要注意範囲からストローク限界付近である所定の角度変位であれば検出回路１０ａが警告信号を出力し、無線モジュール１１が警告信号を監視場所の受信機に送信することにより、遠隔位置であっても油圧防振器ＤのロッドＤ２の変位量を確認でき、迅速に対応措置を講ずることができる。ばね８は、軸９ａを中心に回転方向に伸縮してプーリ６を付勢するので、ワイヤ７を繰り出し，巻き取ることにより、ロッドＤ２の変位量をプーリ６の回転変位として正確に伝達できる。
【００１４】
なお、先の実施形態において通信機を構成する無線モジュール１１は検出回路１０ａの警告信号を遠隔位置に伝達したが、これに代えて、無線モジュール１１はポテンショメータ９の電圧出力を遠隔位置に伝達し、当該遠隔位置に受信機と共に備えた検出回路１０ａが、ポテンショメータ９の電圧出力の所定の閾値において警告信号を出力するものであってもよい。
【符号の説明】
【００１５】
１    遠隔監視装置
２    ケース
３    回転機構
４    送信ユニット
５    枠体
５ａ  上枠板
５ｂ  下枠板
６    プーリ
７    ワイヤ
８    ばね
９    ポテンショメータ
９ａ  軸
１０    基板
１０ａ  検出回路
１１    無線モジュール
１２    アンテナ
１３    コネクタ
Ｄ    油圧防振器
Ｄ１  シリンダ
Ｄ２  ロッド
【図１】
2016183693.tif 000003
【図２】
2016183693.tif 000004
【図３】
2016183693.tif 000005
【図４】
2016183693.tif 000006
【図５】
2016183693.tif 000007
【図６】
2016183693.tif 000008